(57)【要約】【課題】本発明は、ディスプレイ部を覆うことなく便利に閲覧できるを提供することを目的とする。【解決手段】本発明に係る電子装置は、正面部及び側面部を備える。正面部にはディスプレイ部が設置され、側面部にはユーザの動作を感知できるセンサ区域が設置され、電子装置は、ユーザの動作の移動方向及び移動距離に応じてディスプレイ部に表示される画面のコンテンツを移動する。【選択図】図１
2014155221.tif 000002
【特許請求の範囲】
【請求項１】
正面部と、
側面部と、
を備えてなる電子装置であって、
前記正面部にはディスプレイ部が設置され、前記側面部にはユーザの動作を感知できるセンサ区域が設置され、前記電子装置はユーザの動作の移動方向及び移動距離に応じて前記ディスプレイ部に表示される画面のコンテンツを移動することを特徴とする電子装置。
【請求項２】
横方向の側面部に設けられた横方向の前記センサ区域に、ユーザの前記画面の横方向に並行に動作が加えられると、前記コンテンツは水平方向に移動されることを特徴とする請求項１に記載の電子装置。
【請求項３】
縦方向の側面部に設けられた縦方向の前記センサ区域に、前記画面の縦方向に並行に動作が加えられると、前記コンテンツは縦方向に移動されることを特徴とする請求項１に記載の電子装置。
【請求項４】
前記センサ区域をカーボンナノチューブによって形成して、前記側面部を覆うことによって、前記センサ区域の厚さを薄くすることを特徴とする請求項１から３の何れか一項に記載の電子装置。
【請求項５】
ディスプレイ部が設置された正面部及びセンサ区域が設置された側面部を備える電子装置の画面の閲覧方法であり、
前記センサ区域はユーザの動作を感応感知する動作感知ステップと、
前記動作の移動方向及び移動距離を判断するステップと、
前記移動方向及び移動距離に応じて、画面のコンテンツを移動させるステップと、を備えることを特徴とする電子装置の閲覧方法。
【請求項６】
更に前記画面と前記側面部との相対位置を判断するステップを備えることを特徴とする請求項５に記載の電子装置の閲覧方法。
【発明の詳細な説明】
【技術分野】
【０００１】
本発明は、ディスプレイ部を覆うことなく便利に閲覧できる電子装置に関するものである。
【背景技術】
【０００２】
従来の技術において、スマートフォンのディスプレイ部はタッチパネル機能を有し、ディスプレイ部をタッチすることによって様々な操作が可能である。しかし、ディスプレイ部をタッチすると、画面が手に覆われるため、不便である。
【発明の概要】
【発明が解決しようとする課題】
【０００３】
本発明の目的は、前記問題を解決し、ディスプレイ部を覆うことなく便利に閲覧できる電子装置を提供することである。
【課題を解決するための手段】
【０００４】
上記目的を達成するために、本発明に係る電子装置は、正面及び側面を備える。前記正面にはディスプレイ部が設置され、前記側面にはユーザの動作を感知できるセンサ区域が設置され、前記電子装置はユーザの動作の移動方向及び移動距離に応じて前記ディスプレイ部に表示される画面のコンテンツを移動する。
【発明の効果】
【０００５】
本発明に係る電子装置、側面にセンサ区域が設置されているため、センサ区域に動作を加えても、ディスプレイ部を覆うことがないので、電子装置を便利に閲覧できる。
【図面の簡単な説明】
【０００６】
【図１】本発明の実施形態に係る電子装置の正面図である。
【図２】図１に示す電子装置の側面図である。
【図３】図１に示す電子装置の画面を示す図である。
【図４】図３に示す電子装置の画面のコンテンツが上へ移動する状態を示す図である。
【図５】図３に示す電子装置の画面のコンテンツが下へ移動する状態を示す図である。
【図６】図１に示す電子装置の画面の閲覧方法のフローチャートである。
【発明を実施するための形態】
【０００７】
図１に示したように、本発明の実施形態に係る電子装置１０は、スマートフォン、タブレットパソコン、テレビ、ゲーム機などディスプレイ部を有する電子製品である。
【０００８】
電子装置１０は、正面部１２及び正面部１２に直角に設けられた側面部１６を備える。正面部１２には、タッチパネル機能を有するディスプレイ部１４が設置されている。ディスプレイ部１４は画面を表示すると共に、タッチされるとタッチ動作に対応してデータを送受信することができるように構成されている。
【０００９】
図２に示したように、側面部１６にはユーザの操作動作を感知するセンサ区域１８が設けられている。本実施形態において、センサ区域１８は、横方向側面部と縦方向側面部の二つの側面部１６に設置されるが、他の実施形態において、センサ区域１８は各側面部１６にそれぞれ設置されても良い。
【００１０】
本実施形態において、センサ区域１８は側面部１６とほぼ同じ面積を有する。センサ区域１８をカーボンナノチューブによって形成して、側面部１６を覆えば、センサ区域１８の厚さを薄くできる。
【００１１】
図３は、ディスプレイ部１４の画面を示す図である。ユーザは、ディスプレイ部１４に表示されていないコンテンツを閲覧したい場合、センサ区域１８に動作を加えることによって、閲覧コンテンツの移動又は画面の切り替えなど様々な操作ができる。電子装置１０は、ユーザによる動作の移動方向及び動作の移動距離に応じてコンテンツの移動方向及び移動距離を制御する。
【００１２】
横方向の側面部１６に設けられた横方向のセンサ区域１８に、ユーザがディスプレイ部１４の画面の横方向（画面の左右方向）に動作を加えると、横方向の側面部１６上の横方向のセンサ区域１８はユーザの動作を感知し、閲覧コンテンツを水平方向に移動させる。動作が右から左へスライドする動作であれば、閲覧コンテンツは右から左へと移動する。逆に、動作が左から右へスライドする動作であれば、閲覧コンテンツは左から右へと移動する。
【００１３】
縦方向の側面部１６に設けられた縦方向のセンサ区域１８に、ユーザがディスプレイ部１４の画面の縦方向（画面の上下方向）に動作を加えると、縦方向の側面部１６上の縦方向のセンサ区域１８はユーザの動作を感知し、閲覧コンテンツを縦方向に移動させる。動作が上から下へスライドする動作であれば、閲覧コンテンツは上から下へと移動する。逆に、動作が下から上へスライドする動作であれば、閲覧コンテンツは下から上へと移動する。
【００１４】
図４に示したように、ユーザがセンサ区域１８に対して上から下へスライドする動作を加えると、ディスプレイ部１４に表示される閲覧コンテンツは上から下へ移動する。
【００１５】
図５に示したように、ユーザがセンサ区域１８に対して下から上へスライドする動作を加えると、ディスプレイ部１４に表示される閲覧コンテンツは下から上へ移動する。
【００１６】
図６は、電子装置１０を使用する際の閲覧方法のフローチャートであり、該閲覧方法は、以下のステップを含む。
【００１７】
ステップ７０１において、センサ区域１８は、ユーザの動作を感知する。
【００１８】
ステップ７０２において、センサ区域１８と画面との相対位置を判断し、横方向のセンサ区域１８が画面の横方向の移動を感知すると、ステップ７０３に進み、縦方向のセンサ区域１８が画面の縦方向の移動を感知すると、ステップ７０７に進む。
【００１９】
ステップ７０３において、動作の移動方向及び移動距離を判断し、左から右へスライドする動作であれば、ステップ７０４に進み、右から左へスライドする動作であれば、ステップ７０５に進む。
【００２０】
ステップ７０４において、ディスプレイ部１４に表示される画面のコンテンツは、右へスライドする動作に応じて相応する距離で右へ移動する。
【００２１】
ステップ７０５において、ディスプレイ部１４に表示される画面のコンテンツは、左へスライドする動作に応じて相応する距離で左へ移動する。
【００２２】
ステップ７０６において、動作の移動方向及び移動距離を判断し、上から下へスライドする動作であれば、ステップ７０７に進み、下から上へスライドする動作であれば、ステップ７０５に進む。
【００２３】
ステップ７０７において、ディスプレイ部１４に表示される画面のコンテンツは、下へスライドする動作に応じて相応する距離で下へ移動する。
【００２４】
ステップ７０８において、ディスプレイ部１４に表示される画面のコンテンツは、上へスライドする動作に応じて相応する距離で上へ移動する。
【符号の説明】
【００２５】
１０  電子装置
１２  正面部
１４  ディスプレイ部
１６  側面部
１８  センサ区域
【図１】
2014155221.tif 000003
【図２】
2014155221.tif 000004
【図３】
2014155221.tif 000005
【図４】
2014155221.tif 000006
【図５】
2014155221.tif 000007
【図６】
2014155221.tif 000008